(57)【特許請求の範囲】
【請求項１】
熱交換用コイル（３）を内部に設けたコイルブロック（１１）と、中空状のメンテブロック（１２）と、給気用ファン（４）を内部に設けたファンブロック（１３）と、を順に積層連通連結してケーシング（１）を、構成し、前記コイル（３）の空気出口側に加湿用の蒸気を放出する加湿ノズル（１４）を設け、前記コイル（３）と前記加湿ノズル（１４）の間に、前記コイル（３）を通過した給気用空気を前記加湿ノズル（１４）の下方にて分流させて上方へ案内する仕切部材（１６）を設け、前記コイル（３）と前記仕切部材（１６）の間の給気用分流空気をさらに分流させて前記加湿ノズル（１４）の上方にてもう一方の給気用分流空気に合流させる開口部（１７）を、設けたことを特徴とするワンスパン用床設置空調機。
【請求項２】
コイル（３）の伝熱管を楕円管にした請求項１記載のワンスパン用床設置空調機。
【請求項３】
パーティション（１５）でケーシング（１）を囲って外気や還気等の空気を取入れするチャンバ兼用の機械室（１０）を構成した請求項１又は２記載のワンスパン用床設置空調機。
【発明の詳細な説明】
【技術分野】
【０００１】
本発明はワンスパン用床設置空調機に関するものである。
【背景技術】
【０００２】
蒸気式加湿器を設けた空気調和機がある。
【０００３】
【特許文献１】特開平４−４５３３１号公報
【発明の開示】
【発明が解決しようとする課題】
【０００４】
ところが、蒸気式加湿器は蒸発吸収距離が長いため、加湿を行うためには長大なスペースが必要となり機体の大型化が避けられなかった。
【課題を解決するための手段】
【０００５】
本発明は上記課題を解決するため、熱交換用コイルを内部に設けたコイルブロックと、中空状のメンテブロックと、給気用ファンを内部に設けたファンブロックと、を順に積層連通連結してケーシングを、構成し、前記コイルブロックの一面に空気取入口を設け、この空気取入口の近傍にフィルタを間に挟んで前記コイルを配置し、前記メンテブロックの前記一面と対向する他面に前記フィルタを出し入れする機内点検扉を、設け、前記コイルブロックで加湿用の蒸気を放出するように構成したことを最も主要な特徴とする。
【発明の効果】
【０００６】
請求項１の発明によれば、
（１）メンテブロックのスペースを利用して蒸気加湿の蒸発吸収距離を長くすることができる。そのため、加湿効率が良くて飽和効率を高めることができ、湿度制御範囲が広がって快適性が向上する。
（２）メンテブロックを保守点検と加湿スペースに兼用してあるので機体の大型化を防止でき、縦に積層してあるので設置面積も少なくて済み、省スペース化を図れる。
（３）加湿ノズルの手前で給気用空気を二手に分けて加湿ノズルをバイパスさせてから再度合流させることで、加湿ノズルから放出された蒸気を包み込んで逃がさなようにして蒸気と空気の混合を早めて効率よく加湿するので蒸発吸収距離が短くて済み、空気調和機のケーシングやファンなどへの凝縮や露つきの発生を防止でき、ケーシングの一層のコンパクト化を図れる。
【０００７】
請求項２の発明によれば、
（１）楕円管なので圧力損失が少なく、列数を増やして伝熱管有効長を長くしても送風動力が増えず、コイルを冷温水用コイルとした場合、例えば冷房運転時に入口水温を通常よりも高くして大温度差化し低温送風することでランニングコストの大幅削減が可能となる。
【０００８】
請求項３の発明によれば、
（１）パーティションで簡易の機械室を設けることができ、空気取入チャンバに兼用できるので送風ダクト等の部材が不要となり、コスト低減を図れる。
【実施例】
【００１０】
図１と図２は、本発明のワンスパン用床設置空調機の一実施例を示しており、このワンスパン用床設置空調機は、縦長のケーシング１内に、送風路２と、熱交換用コイル３と、給気用ファン４と、フィルタ７と、コイル凝縮水排出用のドレンパン８と、蒸気式加湿器の加湿ノズル１４と、を少なくとも備えている。ケーシング１には、空気取入口５と、給気口６と、機内点検扉９と、を設け、空気取入口５と給気口６を送風路２で連通連結する。給気口６は、送風ダクト等にて屋内天井の吹出口と連通し、室内等の被空調空間に給気する。空気取入口５は、空気取入チャンバ兼用の機械室１０から外気や還気等を取入れする。機械室１０は、パーティション１５でケーシング１を囲って構成する。
【００１１】
ファン４は、コイル３の風下で送風路２内に設けて、空気を吸込み式に送風する。実線及び点線の白抜き矢印は送風方向を示し、ファン４で吸い込まれた空気は、コイル３を通過して熱交換され、給気口６から冷暖風として給気される。コイル３は、通風自在に設けられた多数の伝熱板に伝熱管を挿着して成り、伝熱管内を流れる熱媒や冷媒と通過空気が伝熱管及び伝熱板を介して熱交換する。この伝熱管は楕円管にするのが好ましいが円形管でもよい。
【００１２】
ケーシング１は、コイル３を内部に設けたコイルブロック１１と、中空状のメンテブロック１２と、ファン４を内部に設けたファンブロック１３と、を上へ順に積層連通連結して構成する。このコイルブロック１１の一面に、空気取入口５を設け、空気取入口５の近傍にフィルタ７を間に挟んでコイル３を配置する。メンテブロック１２の一面と対向する他面にはフィルタ７を出し入れする着脱自在な機内点検扉９を、設け、（図１の仮想線で示すように）機内点検扉９を開けてフィルタ７を出し入れする。コイルブロック１１の他面とコイル３の間には、加湿ノズル１４を設け、コイルブロック１１で加湿用の蒸気を放出するように構成し、コイルブロック１１とメンテブロック１２の両空間内で蒸発吸収させて空気を加湿する。
【００１３】
図３と図４はコイルブロック１１の内部の簡略図で、太い点線の矢印は給気用空気の流れを示している。このコイルブロック１１の内部に、コイル３の空気出口側に加湿用の蒸気を放出する管状の加湿ノズル１４を水平状にコイル３に沿って設け、コイル３と加湿ノズル１４の間に、コイル３を通過した給気用空気を加湿ノズル１４の下方にて分流させて上方へ案内する仕切部材１６を設け、コイル３と仕切部材１６の間の給気用分流空気をさらに分流させて加湿ノズル１４の上方にてもう一方の給気用分流空気に合流させる開口部１７を、コイル３に沿って設けたものである。
【００１４】
加湿ノズル１４は、蒸気を上方へ放出する多数の噴霧穴２０を有している。仕切部材１６は、加湿ノズル１４の風上側と底面を覆うように、コイル３の空気出口と面対向してコイル３と加湿ノズル１４の間で送風路２を左右に区画する垂直状の縦壁部１８と、ケーシング１の底面と面対向し縦壁部１８の下端部から風下方向へ突出して加湿ノズル１４の下方で送風路２を上下に区画する水平状の底壁部１９と、から成る。縦壁部１８には、開口部１７を、加湿ノズル１４より上方にて加湿ノズル１４に沿って水平状に設ける。縦壁部１８と底壁部１９にて形成される仕切部材１６の隅部に加湿ノズル１４を配置して、給気用空気が加湿ノズル１４に直接当たらないように遮蔽すると共に、放出された蒸気を加湿ノズル１４の上方にて包み込むように給気用空気を誘導案内する。このように給気用空気を誘導案内するためにファン４を吸込み式とし空気の分流と合流を促進させるのが好ましいが、押し込み式に変更するも自由である。
【００１５】
なお、本発明は上述の実施例に限定されず、本発明の要旨を逸脱しない範囲で設計変更自由で、たとえば、仕切部材１６をＬ字形の断面構造としてあるがＪ字形とするなど構造、構成を変更してもよい。さらに、蒸気式加湿器として公知の電極式や電熱式、蒸気噴霧式など各種のものに変更したり、加湿器を気化式とするも自由である。図例では、蒸気を放出する加湿ノズル１４のみを配置した場合を例示しているが、ケーシング１内に、加湿ノズル１４へ蒸気を供給する蒸気発生器等の機器を、設けてもよい。また、空気取入口５とフィルタ７をケーシング１の他面に設けるも自由である。
【図面の簡単な説明】
【００１６】
【図１】本発明のワンスパン用床設置空調機の側面図である。
【図２】ワンスパン用床設置空調機の正面図である。
【図３】コイルブロック内部を側面から見た簡略説明図である。
【図４】コイルブロック内部を正面から見た簡略説明図である。
【符号の説明】
【００１７】
１    ケーシング
３    コイル
４    ファン
５    空気取入口
７    フィルタ
９    機内点検扉
１１  コイルブロック
１２  メンテブロック
１３  ファンブロック
１５  パーティション
１６  仕切部材
１７  開口部
【図１】
0005314118.tif 000002
【図２】
0005314118.tif 000003
【図３】
0005314118.tif 000004
【図４】
0005314118.tif 000005